(57)【要約】【課題】窓外環境の視認性を確保しつつ、ガラス窓直下への結露した水滴が垂れることを防止し、さらに、窓部以外での室内結露を抑制することが可能な、窓部構造を提供すること。【解決手段】室内側面をなす第一の面の対水接触角が２０°以下であるガラス窓と、ガラス窓の第一の面に結露した水を第一の面上で気化させる気化促進手段と、を備える窓部構造。【選択図】図１
2016169490.tif 000002
【特許請求の範囲】
【請求項１】
室内側面をなす第一の面の対水接触角が２０°以下であるガラス窓と、
前記ガラス窓の前記第一の面に結露した水を、前記第一の面上で気化させる気化促進手段と、を備える窓部構造。
【請求項２】
前記ガラス窓が、ガラス板と、該ガラス板に貼付され前記第一の面をなす親水性フィルムと、を有する請求項１に記載の窓部構造。
【請求項３】
前記ガラス窓が、少なくとも一方の主面が親水化処理されたガラス板を有し、
前記ガラス板の親水化処理された主面が前記第一の面をなす、請求項１に記載の窓部構造。
【請求項４】
前記気化促進手段が、前記第一の面に結露した水に熱を付与する加温手段である、請求項１〜３のいずれか一項に記載の窓部構造。
【請求項５】
前記加温手段が、前記ガラス窓に近接して配置されたヒータを有する、請求項４に記載の窓部構造。
【請求項６】
前記加温手段が、前記第一の面に温風を送風する温風送風手段を有する、請求項４に記載の窓部構造。
【請求項７】
前記ガラス窓が、ガラス板と該ガラス板を保持するサッシ枠とを有し、
前記加温手段が、前記サッシ枠の少なくとも一部を加温する、請求項４に記載の窓部構造。
【請求項８】
請求項１〜７のいずれか一項に記載の窓部構造を形成するための窓部用キットであって、
前記ガラス窓の室内側面に貼付される、対水接触角が２０°以下の主面を有する親水性フィルムと、
前記ガラス窓に貼付された前記親水性フィルムに結露した水を、前記親水性フィルム上で気化させる気化促進手段と、を含む、窓部用キット。
【請求項９】
請求項１〜７のいずれか一項に記載の窓部構造を有する室内構造。
【請求項１０】
請求項１〜７のいずれか一項に記載の窓部構造を備える車両。
【請求項１１】
請求項１〜７のいずれか一項に記載の窓部構造を備える建物。
【発明の詳細な説明】
【技術分野】
【０００１】
本発明は、窓部構造、窓部構造を設置するための窓部用キット、窓部構造を有する室内構造、窓部構造を備える車両及び窓部構造を備える建物に関する。
【背景技術】
【０００２】
従来から、ガラス窓の結露を防止する方法が種々検討されている。例えば、特許文献１には、ガラス窓の板ガラスの室内側及び／又は室外側に所定の厚みを有するスペーサーを介して樹脂パネルを取着して、板ガラスと樹脂パネルとの間に断熱空気層を形成する方法が開示されている。
【０００３】
また、特許文献２には、結露防止用ヒータによって、窓ガラス表面を加温し、窓ガラスに接する空気を露点にならないように維持して結露の生成を防止する方法が開示されている。
【０００４】
ところで、一般的な住宅では、快適な室内環境を求めて高気密化・高断熱化が進んでいる。しかし、このような住宅で冬期に室内暖房が行われると、室内と屋外との温度差及び圧力差によって、壁内に室内の水蒸気を多く含んだ空気が入り込み、壁内結露を生じる場合がある。
【０００５】
このような壁内結露の発生を抑制する方法として、例えば、特許文献３には、エアバリア及び２層の内装材によって、気密性・断熱性を向上させるとともに壁内結露の発生を防止する壁構造を形成することが開示されている。
【先行技術文献】
【特許文献】
【０００６】
【特許文献１】特開２０１１−２５２３２８号公報
【特許文献２】特開２００３−１０６６７７号公報
【特許文献３】特開２００４−３００７０９号公報
【発明の概要】
【発明が解決しようとする課題】
【０００７】
近年、住宅の更なる高気密化によって、室内壁面、家具背面、クローゼット内等、室内の様々な箇所で結露が生じ易くなっている。特に調理時などの急激な湿度変化が生じる状況における室内結露の発生は、大きな課題となっている。
【０００８】
ガラス窓の結露防止は、窓外環境の視認性を確保するため、また、ガラス窓直下に水滴が落ちることによる壁紙・床面等の劣化・カビ発生等の抑制のため、依然として大きな課題である。しかし、特許文献１及び２に記載の方法では、ガラス窓以外の室内結露の問題を解決することは難しい。
【０００９】
本発明の目的の一つは、窓外環境の視認性を確保しつつ、ガラス窓直下への結露した水滴が垂れることを防止し、さらに、窓部以外での室内結露を抑制することが可能な、窓部構造を提供することにある。
【００１０】
また、本発明の他の目的の一つは、上記窓部構造を設置するための窓部用キット、上記窓部構造を有する室内構造、上記窓部構造を備えた車両、及び上記窓部構造を備えた建物を提供することにある。
【課題を解決するための手段】
【００１１】
本発明の一側面は、室内側面をなす第一の面の対水接触角が２０°以下であるガラス窓と、上記ガラス窓の上記第一の面に結露した水を、上記第一の面上で気化させる気化促進手段と、を備える窓部構造に関する。
【００１２】
上記窓部構造では、ガラス窓の室内側面をなす第一の面が、対水接触角が２０°以下の親水性面であるため、第一の面に結露が生じたときに結露水が水滴状にならずに面上に拡がる。このため、結露水が水滴状に付着した場合と比較して、窓外環境の視認性が良好となるとともに、結露水がいっそう気化しやすくなる。
【００１３】
また、上記窓部構造では、第一の面上に拡がった結露水を、気化促進手段により第一の面上で気化させることで、ガラス窓直下への結露水の垂れが防止される。このため、上記窓部構造によれば、窓部構造周辺において、結露による壁紙及び床面の劣化及びカビ発生が抑制される。
【００１４】
さらに、上記窓部構造では、特許文献１及び２に記載の結露自体を防止する方法と異なり、第一の面上で結露が発生する。このため、室内の湿度が上昇したときでも、第一の面上で優先して結露が生じ、窓部以外での室内結露が抑制される。
【００１５】
すなわち、上記窓部構造によれば、窓外環境の視認性を確保しつつ、ガラス窓直下への結露した水滴が垂れることを防止し、さらに、窓部以外での室内結露を抑制することができる。
【００１６】
一態様において、上記ガラス窓は、ガラス板と、該ガラス板に貼付された上記第一の面をなす親水性フィルムと、を有するものであってよい。このようなガラス窓を備える窓部構造は、既存のガラス窓に親水性フィルム及び気化促進手段を設置することで容易に実現することができる。
【００１７】
一態様において、上記ガラス窓は、少なくとも一方の主面が親水化処理されたガラス板を有するものであってよい。また、この態様においては、上記ガラス板の親水化処理された主面が上記第一の面をなしてよい。このようなガラス窓を備える窓部構造では、親水化処理によって容易に第一の面の対水接触角を２０°以下に調整することができる。
【００１８】
一態様において、上記気化促進手段は、上記第一の面に結露した水に熱を付与する加温手段であってよい。このような気化促進手段は、効率的に第一の面に結露した水を気化させることができ、既存施設への設置も容易である。
【００１９】
一態様において、上記加温手段は、上記ガラス窓に近接して配置されたヒータを有するものであってよい。
【００２０】
また、一態様において、上記加温手段は、上記第一の面に温風を送風する温風送風手段を有するものであってよい。
【００２１】
また、一態様において、上記ガラス窓は、ガラス板と該ガラス板を保持するサッシ枠とを有するものであってよく、上記加温手段は、上記サッシ枠の少なくとも一部を加温するものであってよい。
【００２２】
本発明の他の一側面は、上記窓部構造を形成するための窓部用キットに関する。この窓部用キットは、上記ガラス窓の室内側面に貼付される、対水接触角が２０°以下の主面を有する親水性フィルムと、上記ガラス窓に貼付された上記親水性フィルムに結露した水を、上記親水性フィルム上で気化させる気化促進手段と、を含む。
【００２３】
上記窓部用キットによれば、既存のガラス窓に親水性フィルムを貼付するとともに上記気化促進手段を設置することで、容易に上記窓部構造を実現できる。
【００２４】
本発明のさらに他の一側面は、上記窓部構造を有る室内構造に関する。このような室内構造では、上記窓部構造によって室内結露が抑制される。また、このような室内構造では、窓外環境の視認性に優れるとともに、窓部構造周辺において、結露による壁紙及び床面の劣化及びカビ発生が抑制される。
【００２５】
本発明のさらに他の一側面は、上記窓部構造を備える車両に関する。このような車両では、上記窓部構造によって車室内での結露が抑制される。また、このような車両では、窓外環境の視認性が良好であるため、車室内の居住性が向上する。また、このような車両では、結露水の垂れによる座面等の濡れが防止されるため、この点でも居住性が向上する。さらに上記車両では、窓部構造以外での結露が抑制されるため、車室内部材のさび、腐食等も抑制される。
【００２６】
本発明のさらに他の一側面は、上記窓部構造を備える建物に関する。このような建物では、上記窓部構造によって室内結露が抑制される。また、このような建物では、窓外環境の視認性が良好であり、結露水の垂れによる床面等の濡れが防止されるため、居住性が向上する。さらに上記建物では、窓部構造以外での結露が抑制されるため、室内部材、家具、家電製品等のさび、腐食等も抑制される。
【発明の効果】
【００２７】
本発明によれば、窓外環境の視認性を確保しつつ、ガラス窓直下への結露した水滴が垂れることを防止し、さらに、窓部以外での室内結露を抑制することが可能な、窓部構造が提供される。
【００２８】
また、本発明によれば、上記窓部構造を設置するための窓部用キット、上記窓部構造を有する室内構造、上記窓部構造を備えた車両、及び上記窓部構造を備えた建物が提供される。
【図面の簡単な説明】
【００２９】
【図１】本発明に係る窓部構造の一態様の概略を示す図である。
【図２】本発明に係る窓部構造の一態様の概略を示す断面図である。
【図３】本発明に係る窓部構造の他の一態様の概略を示す断面図である。
【図４】本発明に係る窓部構造のさらに他の一態様の概略を示す図である。
【図５】本発明に係る窓部用キットの一態様の概略を示す図である。
【図６】窓部構造に係る確認試験の結果を示す図である。
【発明を実施するための形態】
【００３０】
以下、図面を参照しつつ、本発明の好適な実施形態について説明する。なお、図面の説明において同一要素には同一符号を付し、重複する説明を省略する。また、図面は理解を容易にするため一部を誇張して描いており、寸法比率等は図面に記載のものに限定されるものではない。
【００３１】
一実施形態に係る窓部構造は、室内側面をなす第一の面の対水接触角が２０°以下であるガラス窓と、ガラス窓の第一の面に結露した水を第一の面上で気化させる気化促進手段と、を備える。
【００３２】
本実施形態において、ガラス窓は、室外側面（以下、第二の面ともいう。）と室内側面（以下、第一の面ともいう。）とを有しており、少なくとも室内側面において結露を生じ得るガラス窓である。具体的には、室外側（典型的には、屋外側）の気温が室内側の気温より低い場合に、室内側面の温度が室内温度より低くなることで、室内の水蒸気が室内側面で凝集し、結露する。
【００３３】
本実施形態に係る窓部構造は、ガラス窓の室内側面をなす第一の面が、対水接触角が２０°以下の親水性面であるため、第一の面に結露が生じたときに結露した水（以下、単に結露水という。）が水滴状にならずに面上に拡がる。このため、結露水が水滴状に付着した場合と比較して、窓外環境の視認性が良好となるとともに、結露水がいっそう気化しやすくなる。
【００３４】
また、本実施形態に係る窓部構造では、第一の面上に拡がった結露水を、気化促進手段により第一の面上で気化させることで、ガラス窓直下への結露水の垂れが防止される。このため、本実施形態に係る窓部構造によれば、窓部構造周辺において、結露による壁紙の劣化、カビの発生等が抑制される。
【００３５】
さらに、本実施形態に係る窓部構造では、特許文献１及び２に記載の結露自体を防止する方法と異なり、ガラス窓は少なくとも第一の面上で結露を生じ得るものである。このため、室内の湿度が上昇したときでも第一の面上で優先して結露が生じ、窓部以外での室内結露が抑制される。
【００３６】
すなわち、本実施形態に係る窓部構造によれば、窓外環境の視認性を確保しつつ、ガラス窓直下への結露した水滴が垂れることを防止し、さらに、窓部以外での室内結露を抑制することができる。
【００３７】
本実施形態において、ガラス窓の第一の面の対水接触角は２０°以下であり、好ましくは１５°以下であり、１０°以下であってよく、７°以下であってもよく、５°以下であってもよい。第一の面の対水接触角が小さいと、結露水が第一の面上でより拡がり易くなるため、窓外環境の視認性が一層良好となる傾向があり、また、結露水が一層気化し易くなるため、気化促進手段に要求される特性が抑えられ、窓部構造の設置費用の低減・運用費用の低減を図ることができる。
【００３８】
なお、本明細書中、対水接触角は、ＪＩＳ  Ｒ  ３２５７：１９９９に記載の静滴法に準拠して測定される値を示す。
【００３９】
本実施形態において、ガラス窓の第一の面の対水接触角を２０°以下とするための手段は特に制限されない。
【００４０】
一態様において、ガラス窓は、ガラス板と、該ガラス板に貼付された親水性フィルムとを有するものであってよく、親水性フィルムにより第一の面が構成されていてよい。このようなガラス窓を備える窓部構造は、既存のガラス窓に親水性フィルム及び気化促進手段を設置することで容易に実現することができる。
【００４１】
親水性フィルムは、対水接触角が２０°以下の第一の面を構成可能なフィルムであればよく、例えば、対水接触角が２０°以下の親水性面を有する親水性基材と、該親水性基材の親水性面と反対側の面に設けられた接着剤層と、を備えるものであってよい。
【００４２】
親水性基材としては、例えば、ポリビニルアルコール、ポリシラザン、ポリヒドロキシエチルメタクリレート等の親水性樹脂を含む基材が挙げられる。また、親水性基材は、親水性面をなす親水性層からなる単層構造であってよく、該親水性層以外の他の層をさらに含む多層構造であってもよい。
【００４３】
親水性基材の厚さは特に制限されないが、例えば１０ｎｍ〜１００ｎｍであってよく、２０ｎｍ〜５０ｎｍであってもよい。
【００４４】
接着剤層は、親水性基材とガラス板とを接着可能な接着剤からなる層であればよい。接着剤層を構成する接着剤としては、例えば、アクリル系接着剤、シリコン系接着剤、ウレタン系接着剤等が挙げられる。
【００４５】
接着剤層の厚さは特に制限されないが、例えば０．１μｍ〜１００μｍであってよく、１０〜３０μｍであってもよい。
【００４６】
親水性フィルムは、親水性面の対水接触角が１５°以下であることが好ましく、１０°以下であることがより好ましく、７°以下であってもよく、５°以下であってもよい。
【００４７】
親水性フィルムは、室内外の環境変化によっても親水性が維持されるものであることが好ましい。また、親水性フィルムは、繰り返しの結露によっても親水性が維持されるものであることが好ましい。さらに、親水性フィルムは、気化促進手段が結露水に熱を付与する加温手段である場合は、加温手段による長期間の加温によっても親水性が維持されるものであることが好ましい。これらの耐久性に優れる親水性フィルムによれば、上述の効果を長期間維持することができる。
【００４８】
親水性フィルムの耐久性は、例えば、下記の加熱試験、耐湿試験、加熱サイクル試験、温水試験によって確認することができる。すなわち、本実施形態において、ガラス窓に適用する親水性フィルムは、下記の加熱試験、耐湿試験、加熱サイクル試験、及び／又は、温水試験で評価して選別してもよい。
【００４９】
親水性フィルムとしては、６５℃で１週間保持する加熱試験後においても、親水性面の対水接触角が２０°以下に維持されるものが好ましい。より具体的には、親水性フィルムは、温度６５℃、湿度５％の環境下で１週間（１６８時間）保持した後の親水性面の対水接触角が、２０°以下であることが好ましく、１５°以下であることがより好ましく、１０°以下であってよく、７°以下であってもよく、５°以下であってもよい。
【００５０】
親水性フィルムとしては、温度４０℃、湿度９５％の環境下で１週間（１６８時間）保持する耐湿試験後においても、親水性面の対水接触角が２０°以下に維持されるものが好ましい。より具体的には、親水性フィルムは、温度４０℃、湿度９５％の環境下で１週間（１６８時間）保持した後の親水性面の対水接触角が、２０°以下であることが好ましく、１５°以下であることがより好ましく、１０°以下であってよく、７°以下であってもよく、５°以下であってもよい。
【００５１】
親水性フィルムとしては、−３０℃〜８０℃の加熱サイクル試験（昇温速度３．７℃／分で昇温し、８０℃で９３０分維持し、降温速度３．７℃／分で降温し、−３０℃で４５０分維持する加熱サイクルを７回繰り返す試験）後においても、親水性面の対水接触角が２０°以下に維持されるものが好ましい。より具体的には、親水性フィルムは、上記加熱サイクル試験後の親水性面の対水接触角が、２０°以下であることが好ましく、１５°以下であることがより好ましく、１０°以下であってよく、７°以下であってもよい。
【００５２】
親水性フィルムとしては、４０℃の温水中に１週間保持する温水試験後においても、親水性面の対水接触角が２０°以下に維持されるものが好ましい。より具体的には、親水性フィルムは、４０℃の温水中に１週間（１６８時間）保持した後の親水性面の対水接触角が、２０°以下であることが好ましく、１５°以下であることがより好ましく、１０°以下であってよく、７°以下であってもよく、５°以下であってもよい。
【００５３】
親水性フィルムとしては、例えば、スリーエムジャパン社製の商品名「３ＭＴＭ  スコッチティントＴＭ  親水性フィルム  ＳＨ２ＣＬＨＦ」等を好適に用いることができる。
【００５４】
他の一態様において、ガラス窓は、少なくとも一方の主面が親水化処理されたガラス板を有するものであってよい。このとき、親水化処理された主面（親水性面）が上記第一の面をなすことで、本実施形態に係る窓部構造が実現される。
【００５５】
親水化処理は、対水接触角が２０°以下の親水性面を形成可能な処理であればよい。親水化処理は、化学的処理であってよく、物理的処理であってもよい。具体的な親水性処理としては、例えば、高分子シランのスプレーガンによる吹き付け塗装、低分子シランの手塗りによる塗布、酸化チタン光触媒による光励起量親水性付与等が挙げられる。
【００５６】
ガラス板の親水性面は、対水接触角が１５°以下であることが好ましく、１０°以下であることがより好ましく、７°以下であってもよく、５°以下であってもよい。
【００５７】
ガラス板の親水性面は、室内外の環境変化によっても親水性が維持されるものであることが好ましい。また、ガラス板の親水性面は、繰り返しの結露によっても親水性が維持されるものであることが好ましい。さらに、ガラス板の親水性面は、気化促進手段が結露水に熱を付与する加温手段である場合は、加温手段による長期間の加温によっても親水性が維持されるものであることが好ましい。このような親水性面を有するガラス板によれば、上述の効果を長期間維持することができる。
【００５８】
親水性面の耐久性は、例えば、下記の加熱試験、耐湿試験、加熱サイクル試験、温水試験によって確認することができる。すなわち、本実施形態においては、ガラス板の親水化処理の方法を、下記の試験で評価して決定してもよい。
【００５９】
親水性処理としては、親水性処理後の親水性面が、６５℃で１週間保持する加熱試験後においても対水接触角が２０°以下に維持されるものであることが好ましい。すなわち、ガラス板の親水性面は、温度６５℃、湿度５％の環境下で１週間（１６８時間）保持した後の対水接触角が、２０°以下であることが好ましく、１５°以下であることがより好ましく、１０°以下であってよく、７°以下であってもよく、５°以下であってもよい。
【００６０】
親水性処理としては、親水性処理後の親水性面が、温度４０℃、湿度９５％の環境下で１週間（１６８時間）保持する耐湿試験後においても対水接触角が２０°以下に維持されるものであることが好ましい。すなわち、ガラス板の親水性面は、温度４０℃、湿度９５％の環境下で１週間（１６８時間）保持した後の対水接触角が、２０°以下であることが好ましく、１５°以下であることがより好ましく、１０°以下であってよく、７°以下であってもよく、５°以下であってもよい。
【００６１】
親水性処理としては、親水性処理後の親水性面が、−３０℃〜８０℃の加熱サイクル試験（昇温速度３．７℃／分で昇温し、８０℃で９３０分維持し、降温速度３．７℃／分で降温し、−３０℃で４５０分維持する加熱サイクルを７回繰り返す試験）後においても、対水接触角が２０°以下に維持されるものであることが好ましい。すなわち、ガラス板の親水性面は、上記加熱サイクル試験後の対水接触角が、２０°以下であることが好ましく、１５°以下であることがより好ましく、１０°以下であってよく、７°以下であってもよい。
【００６２】
親水性処理としては、親水性処理後の親水性面が、４０℃の温水中に１週間保持する温水試験後においても、親水性面の対水接触角が２０°以下に維持されるものであることが好ましい。すなわち、ガラス板の親水性面は、４０℃の温水中に１週間（１６８時間）保持した後の対水接触角が、２０°以下であることが好ましく、１５°以下であることがより好ましく、１０°以下であってよく、７°以下であってもよく、５°以下であってもよい。
【００６３】
本実施形態において、窓部構造は、ガラス窓の第一の面に結露した水を第一の面上で気化させる気化促進手段を備える。気化促進手段は、結露水が第一の面の外に垂れず、第一の面上で気化するように、結露水の気化を促進する手段であってよい。本実施形態においては、窓部構造を設置する室内外の環境、ガラス窓のサイズ、サッシ枠の形状、サッシ枠のサイズ等に応じて、適宜、気化促進手段の構成を変更することができる。
【００６４】
本実施形態では、ガラス窓の第一の面に結露が生じ、且つ、第一の面の外に結露水が垂れない程度に、気化促進手段の設置位置、運転条件等は調整される。
【００６５】
気化促進手段は、例えば、第一の面に結露した水に熱を付与する加温手段であってよい。また、気化促進手段は、例えば、第一の面に送風する送風手段であってもよい。
【００６６】
加温手段は、例えば、ガラス窓に近接して配置されたヒータであってよい。一態様において、ヒータは、ガラス窓の下部に近接して配置され、第一の面の下部において結露水に熱を付与するものであってよい。
【００６７】
また、加温手段は、例えば、第一の面に温風を送風する温風送風手段であってよい。一態様において、温風送風手段は、ガラス窓の下部に温風を送付し、第一の面の下部において結露水に熱を付与するものであってよい。温風送風手段は、第一の面に対して、水平方向より上向きに温風を送風するものであってよい。
【００６８】
また、加温手段は、例えば、ガラス窓のガラス板を保持するサッシ枠を加温することによって、サッシ枠近傍の第一の面上の結露水に熱を付与するものであってよい。一態様において、加温手段は、ガラス板の下部を保持するサッシ枠下部と、サッシ枠下部を加温する加温器とを有するものであってよい。
【００６９】
加温手段による加温の程度は、窓部構造を設置する室内外の環境、ガラス窓のサイズ等に応じて適宜調整してよい。
【００７０】
例えば、加温手段によって、第一の面の一部が５〜４０℃に加熱されてよく、１５〜２５℃に加熱されてもよい。
【００７１】
第一の面において、結露の発生と結露水の気化とを効率良く両立する観点からは、第一の面内の最低温度と最高温度との差が、４℃以上であってよく、１０℃以上であってもよい。
【００７２】
図１は、本発明に係る窓部構造の一態様の概略を示す図であり、図２は、図１に示す窓部構造１０のＩ−Ｉ断面を示す断面図である。図１に示す建物１００は、壁１４にサッシ枠１３を介して取付けられたガラス窓１１と、ガラス窓１１の下部に壁１４がなす壁面からわずかに離間して設置されたヒータ１２とを備える。窓部構造１０は、ガラス窓１１及びヒータ１２によって構成されている。
【００７３】
ガラス窓１１は、室内側面をなす第一の面Ａと、室外側面をなす第二の面Ｂとを有する。本態様において、第一の面Ａは、対水接触角が２０°以下の親水性面である。第二の面Ｂは、親水性面であっても疎水性面であってもよく、第二の面Ｂの対水接触角は特に限定されない。
【００７４】
ガラス窓１１は、ガラス板１５と、ガラス板１５の室内側面に貼付された親水性フィルム１６とを有し、親水性フィルム１６により第一の面Ａが構成されている。
【００７５】
ヒータ１２は、ガラス窓１１の第一の面Ａの下部において、結露水に熱を付与し得るように、壁１４の室内側面からわずかに離間して配置されている。壁１４とヒータ１２との間の距離は、例えば０〜５０ｃｍであってよく、０〜５ｃｍであってもよい。
【００７６】
ガラス窓１１の室外側の温度が室内側より低いとき、ガラス窓１１の上部では、第一の面Ａが冷えて結露が生じやすくなる。生じた結露水は第一の面Ａ上で拡がり、徐々に下部へと移動する。第一の面Ａの下部では、ヒータ１２によって結露水に熱が付与され、結露水は第一の面Ａの外にまで垂れることなく気化される。
【００７７】
なお、ヒータ１２は、輻射熱によって直接、第一の面Ａ上の結露水に熱を付与していてもよく、ヒータ１２の近傍のサッシ枠１３を加熱することによって、間接的に第一の面Ａ上の結露水に熱を付与してもよい。
【００７８】
窓部構造１０において、加温手段はヒータ１２に限定されず、ヒータ１２に代えて他の加温手段が設置されていてよく、ヒータ１２とさらに他の加温手段が設置されていてもよい。また、ヒータ１２の設置位置も壁１４近傍に限定されない。
【００７９】
図３は、本発明に係る窓部構造の他の一態様の概略を示す断面図である。建物１１０において、窓部構造２０はガラス窓２１及び加温手段のヒータ２２を備える。ガラス窓２１は、第一のガラス板２５と、第一のガラス板２５より室内側に設けられた第二のガラス板２６と、第二のガラス板２６の室内側面に貼付された親水性フィルム２７を備える。また、ガラス窓２１の近傍には、壁２４から離間して配置されたヒータ２２が設けられている。
【００８０】
ガラス窓２１において、第一のガラス板２５の両主面及び第二のガラス板２６の室外側面は、いずれも親水性を有している必要はなく、親水性面であっても疎水性面であってもよい。
【００８１】
第一のガラス板２５及び第二のガラス板２６はサッシ枠２３と嵌合して設置されているが、第一のガラス板２５及び第二のガラス板２６は、併設された二つのサッシ枠にそれぞれ嵌合して設置されていてもよい。
【００８２】
ヒータ２２は、ガラス窓２１の第一の面Ｃの下部において、結露水に熱を付与し得るように、壁２４の室内側面からわずかに離間して配置されている。壁２４とヒータ２２との間の距離は、例えば０〜５０ｃｍであってよく、０〜５ｃｍであってもよい。
【００８３】
ガラス窓２１の室外側の温度が室内側より低いとき、ガラス窓２１の上部では、第一の面Ａが冷えて結露が生じやすくなる。生じた結露水は第一の面Ｃ上で拡がり、徐々に下部へと移動する。第一の面Ｃの下部では、ヒータ２２によって結露水に熱が付与され、結露水は第一の面Ｃの外にまで垂れることなく気化される。
【００８４】
なお、ヒータ２２は、輻射熱によって直接、第一の面Ｃ上の結露水に熱を付与していてもよく、ヒータ２２の近傍のサッシ枠２３を加熱することによって、間接的に第一の面Ｃ上の結露水に熱を付与してもよい。
【００８５】
窓部構造２０において、加温手段はヒータ２２に限定されず、ヒータ２２に代えて他の加温手段が設置されていてよく、ヒータ２２とさらに他の加温手段が設置されていてもよい。また、ヒータ２２の設置位置も壁２４近傍に限定されない。例えば、窓部構造２０において、加温手段は第一のガラス板２５及び第二のガラス板２６の間の空隙に設けられていてもよい。
【００８６】
図４は、本発明に係る窓部構造のさらに他の一態様の概略を示す図である。図４において、窓部構造３０は、ガラス窓３１と、ガラス窓３１を保持する下部サッシ枠３３ａ、上部サッシ枠３３ｂ、右部サッシ枠３３ｃ及び左部サッシ枠３３ｄからなるサッシ枠と、下部サッシ枠３３ａを加熱する加熱手段３５とを備える。ガラス窓３１の室内側面をなす第一の面Ｅは、対水接触角が２０°以下となるよう親水性処理が施されている。
【００８７】
窓部構造３０において、下部サッシ枠３３ａは加熱手段３５によって加熱され、下部サッシ枠３３ａに接するガラス窓３１を介してガラス窓３１の第一の面Ｅ上の結露水に熱を付与する。すなわち、窓部構造１２０において、加温手段は、下部サッシ枠３３ａ及び加熱手段３５から構成されていてよい。
【００８８】
加熱手段３５は、下部サッシ枠３３ａのみならず、上部サッシ枠３３ｂ、右部サッシ枠３３ｃ及び左部サッシ枠３３ｄの一部又は全部を加熱してもよい。加熱手段３５は、第一の面Ｅの少なくとも一部で結露が生じ、かつ結露水が第一の面Ｅ外に垂れない程度にサッシ枠を加熱する。
【００８９】
本実施形態に係る窓部構造は、特に室内結露が生じやすい寒冷地において、好適に用いられる。例えば、本実施形態に係る窓部構造は、室内外の温度差が１５℃以上となる環境に好適に適用でき、室内外の温度差が３０℃以上となる環境に適用してもよい。
【００９０】
以上、本発明に係る窓部構造の好適な実施形態について説明したが、本発明は上記窓部構造に限定されるものではない。
【００９１】
例えば、本発明の一側面は、上記窓部構造を形成するための窓部用キットに関するものであってよい。この窓部用キットは、ガラス窓の室内側面に貼付される上記親水性フィルムと、結露水を気化させる上記気化促進手段とを含む。
【００９２】
図５は、本発明に係る窓部用キットの一態様の概略を示す図である。図５に示す窓部用キット１３０は、親水性フィルム４１と、加温手段４２とを含む。親水性フィルム４１は、ガラス窓の室内側面に貼付され、対水接触角が２０°以下の親水性面を形成するものである。加温手段４２は、ガラス窓近傍に設置され、親水性面に生じた結露水に熱を付与して、結露水の気化を促進するものである。
【００９３】
窓部用キット１３０によれば、既存の窓に対して親水性フィルム４１及び加温手段４２を適用することで、容易に上記窓部構造を実現することができる。
【００９４】
また、本発明の他の一側面は、上記窓部構造を有る室内構造に関する。このような室内構造では、窓部構造によって室内結露が抑制される。また、このような室内構造では、窓外環境の視認性に優れるとともに、窓部構造周辺において、結露による壁紙及び床面の劣化及びカビ発生が抑制される。
【００９５】
本発明のさらに他の一側面は、上記窓部構造を備える車両に関する。このような車両では、上記窓部構造によって車室内での結露が抑制される。また、このような車両では、窓外環境の視認性が良好であるため、車室内の居住性が向上する。また、このような車両では、結露水の垂れによる座面等の濡れが防止されるため、この点でも居住性が向上する。さらに上記車両では、窓部構造以外での結露が抑制されるため、車室内部材のさび、腐食等も抑制される。
【００９６】
上記窓部構造を備える車両は、例えば、自動車、電車、船舶、建設機械等であってよい。
【００９７】
本発明のさらに他の一側面は、上記窓部構造を備える建物に関する。このような建物では、上記窓部構造によって室内結露が抑制される。また、このような建物では、窓外環境の視認性が良好であり、結露水の垂れによる床面等の濡れが防止されるため、居住性が向上する。さらに上記建物では、窓部構造以外での結露が抑制されるため、室内部材、家具、家電製品等のさび、腐食等も抑制される。
【００９８】
上記窓部構造を備える建物は、例えば、一般住宅、商業施設、公共建築物等であってよい。
【００９９】
［確認試験］
本実施形態に係る窓部構造について、以下の確認試験を行った。図６は、窓部構造に係る確認試験の結果を示す図である。
【０１００】
確認試験において、ガラス窓５１の領域ａに、親水性面の対水接触角が１０°の親水性フィルムを貼付した。また、ガラス窓５１の領域ａ及び領域ｂの下部にヒータ５２を設置した。なお、親水性フィルムの対水接触角は、測定装置として協和界面化学株式会社製「ＦＡＣＥ  ＣＡ−Ｗ１５０  ＡＵＴＯＭＡＴＩＣ  ＣＯＮＴＡＣＴ  ＡＮＧＬＥ  ＭＥＴＥＲ」を用い、測定時間（水滴を試験片上に静置してから測定を開始するまでの時間）３０秒、測定温度２３℃の条件で測定した。
【０１０１】
確認試験の条件は以下のとおりであり、この条件で４日間、ガラス窓の状況及び床面に垂れた結露の量を観測した。
・室外環境：外気温５．２〜９．１℃
・室内環境（中央部）：温度２０〜２６℃、相対湿度４０〜５５％
・室内環境（窓際）：温度１４〜２２℃、相対湿度６５〜７５％
【０１０２】
確認試験の結果、図６に示すとおり、領域ａでは、ガラス窓に生じた結露は水滴状にならずに面上に拡がり、窓外環境の視認性は良好であった。また、領域ａでは、ガラス窓に生じた結露はガラス窓下部で気化し、４日間で床面に垂れた結露の量はわずかであった。
【０１０３】
これに対して、領域ｂでは、ヒータ５２の近傍ではわずかながら窓外環境の視認性が良好となったものの、それ以外の箇所では結露が水滴状に付着し、窓外環境の視認性が著しく低下した。また、領域ｂではガラス窓下部（ヒータ５２の近傍）に生じた結露の一部は気化されたものの、ガラス窓上部に生じた結露が勢いよく垂れ落ちるなどして、ガラス窓外に多くの結露水が垂れた。
【０１０４】
また、領域ｃでは、ガラス窓の全面で水滴状に結露が付着し、窓外環境の視認性が著しく低下した。また、領域ｃではガラス窓外に多くの結露水が垂れ、床面を濡らした。
【０１０５】
各領域のガラス窓の面積（ｍ２）に対する床面に垂れた結露の量（ｇ）は、領域ａで１１ｇ／ｍ２、領域ｂで３２４ｇ／ｍ２、領域ｃで６１８ｇ／ｍ２であった。
【０１０６】
上記の確認試験から、本実施形態に係る窓部構造によって、窓外環境の視認性を確保しつつ、ガラス窓直下への結露水の垂れが防止されることが確認された。また、上記確認試験において領域ａで結露の発生自体は妨げられていないことから明らかなように、本実施形態に係る窓部構造によれば、一般に窓部の断熱性を向上させて結露を防止した場合に生じる、窓部以外での室内結露の発生を惹起せずに、上記効果を得ることができる。
【符号の説明】
【０１０７】
１０，２０，３０…窓部構造、１１，２１，３１，５１…ガラス窓、１２，２２，３２、４２，５２…加温手段、１３，２３，３３…サッシ枠、１４，２４…壁、１５，２５，２６…ガラス板、１６，２７，４１…親水性フィルム、１００，１１０…建物。
【図１】
2016169490.tif 000003
【図２】
2016169490.tif 000004
【図３】
2016169490.tif 000005
【図４】
2016169490.tif 000006
【図５】
2016169490.tif 000007
【図６】
2016169490.tif 000008